(57)【要約】【課題】ファンの付近から捕集された油を除去する際のメンテナンスの負担を軽減することができるレンジフードを提供すること。【解決手段】加熱調理機の上方に配設されるレンジフード１であって、前記加熱調理機の設置方向に向かって開口する開口部２１を有するフード本体２と、前記フード本体の内部に収納されたファン３と、前記ファンの手前に配設された油捕集部材４と、前記油捕集部材の下方に着脱自在に配設され、前記油捕集部材から流れ落ちた油を貯留する油受け部材５と、前記油受け部材を成形可能な第１金型および第２金型とを備え、前記油受け部材を取り外して交換する場合に、不燃性シート材を前記第１金型と前記第２金型の間に保持して押圧することによって成形された新たな前記油受け部材を配設可能とする。【選択図】図１
2016125787.tif 000002
【特許請求の範囲】
【請求項１】
加熱調理機の上方に配設されるレンジフードであって、
前記加熱調理機の設置方向に向かって開口する開口部を有するフード本体と、
前記フード本体の内部に収納されたファンと、
前記ファンの手前に配設された油捕集部材と、
前記油捕集部材の下方に着脱自在に配設され、前記油捕集部材から流れ落ちた油を貯留する油受け部材と、
前記油受け部材を成形可能な第１金型および第２金型と、
を備え、
前記油受け部材を取り外して交換する場合に、不燃性シート材を前記第１金型と前記第２金型の間に保持して押圧することによって成形された新たな前記油受け部材を配設可能であることを特徴とするレンジフード。
【請求項２】
前記開口部付近に、不燃性シート材を備えた整流部材が配設されていることを特徴とする請求項１に記載のレンジフード。
【請求項３】
前記不燃性シート材が、金属フィルム、不燃繊維からなる不織布、または、これらの複合材であることを特徴とする請求項１または２に記載のレンジフード。
【発明の詳細な説明】
【技術分野】
【０００１】
本発明は、レンジフードに関する。
【背景技術】
【０００２】
従来、レンジフードのファンの付近に付着して流れ落ちる油を捕集するための検討がなされている。例えば、特許文献１には、ファンを内部に収納したファンケースのオイル排出口の外側を覆うように、オイルトレイが着脱自在に取り付けられたレンジフードが記載されている。このレンジフードでは、ファンケースの内部に付着した油がオイル排出口を通じてオイルトレイに滴下される構造になっている。
【先行技術文献】
【特許文献】
【０００３】
【特許文献１】特開2008-202821号公報
【発明の概要】
【発明が解決しようとする課題】
【０００４】
しかしながら、特許文献１のレンジフードでは、オイルトレイに溜まった油を除去する際に、油の拭き取りやオイルトレイの洗浄などが必要になり、メンテナンスに手間がかかってしまうという問題がある。
【０００５】
本発明は、以上のとおりの事情に鑑みてなされたものであり、ファンの付近から捕集された油を除去する際のメンテナンスの負担を軽減することができるレンジフードを提供することを課題としている。
【課題を解決するための手段】
【０００６】
上記の課題を解決するために、本発明のレンジフードは、加熱調理機の上方に配設されるレンジフードであって、
前記加熱調理機の設置方向に向かって開口する開口部を有するフード本体と、
前記フード本体の内部に収納されたファンと、
前記ファンの手前に配設された油捕集部材と、
前記油捕集部材の下方に着脱自在に配設され、前記油捕集部材から流れ落ちた油を貯留する油受け部材と、
前記油受け部材を成形可能な第１金型および第２金型と、
を備え、
前記油受け部材を取り外して交換する場合に、不燃性シート材を前記第１金型と前記第２金型の間に保持して押圧することによって成形された新たな前記油受け部材を配設可能であることを特徴としている。
【発明の効果】
【０００７】
本発明のレンジフードによれば、ファンの付近から捕集された油を除去する際のメンテナンスの負担を軽減することができる。
【図面の簡単な説明】
【０００８】
【図１】本発明のレンジフードの一実施形態を例示した断面概要図である。
【図２】本発明のレンジフードにおける第１金型および第２金型の一実施形態と、第１金型および第２金型を利用した油受け部材の成形工程を例示した断面図である。
【図３】本発明のレンジフードにおける油受け部材の一実施形態を例示した斜視図である。
【発明を実施するための形態】
【０００９】
図１は、本発明のレンジフードの一実施形態を例示した断面概要図である。
【００１０】
レンジフード１は、加熱調理機（図示していない）の上方の壁側に配設されるものであり、加熱調理機の上方の調理空間Ｓ１からの蒸気、油煙、臭気などを吸引して排気ダクトＤへと送る。
【００１１】
レンジフード１は、フード本体２、ファン３、油捕集部材４、油受け部材５および整流部材６を備えている。また、図１では図示していないが、レンジフード１は、油受け部材５を成形可能な第１金型および第２金型を備えている。
【００１２】
フード本体２は、加熱調理機の設置方向に向かって下方向に開口する開口部２１を有している。また、フード本体２の内部には排気空間Ｓ２が形成されており、この排気空間Ｓ２は開口部２１と連通している。さらに、フード本体２の上方には排気ダクトＤが配設されており、内部の排気空間Ｓ２と連通している。
【００１３】
ファン３は、開口部２１の内側の排気空間Ｓ２に収納されている。ファン３の駆動によって調理空間Ｓ１から蒸気、油煙、臭気などが吸引され、排気空間Ｓ２を通じて排気ダクトＤへ送られる。
【００１４】
油捕集部材４は、ファン３の手前に着脱自在に配設されている。本発明において「ファンの手前」とは、ファン３よりも開口部２１側を言うものとする。油捕集部材４は、排気空間Ｓ２に流れ込んだ油煙などから油を捕集できるものであればよく、その形態は特に限定されないが、例えば、交換可能なフィルターなどの形態を例示することができる。
【００１５】
整流部材６は、略平板状であり、フード本体２の開口部２１付近に配設されている。ファン３の駆動によって調理空間Ｓ１から吸引された蒸気や油煙は、整流部材６によって流れが整流され、油捕集部材４側に流れていく。そして、整流部材６の内側には不燃性シート材６１が配設されている。不燃性シート材６１としては、例えば、金属フィルム、不燃繊維からなる不織布、または、これらの複合材などを好ましく例示することができる。
【００１６】
レンジフード１は、フード本体２の開口部２１付近に整流部材６を備えているため、整流部材６においても油が捕集される。そして、整流部材６に捕集された油を除去する際には、整流部材６の内側の不燃性シート材６１を交換することができ、メンテナンスの負担を軽減することができる。
【００１７】
油受け部材５は、油捕集部材４の下方に着脱自在に配設され、油捕集部材４から流れ落ちた油を貯留することができる。油受け部材５は、不燃性シート材が、第１金型と第２金型によって所望の形状に成形されるものである。不燃性シート材の材料は、不燃性を有するシート状の材料であればよく、例えば、金属フィルム、不燃繊維からなる不織布、または、これらの複合材などを好ましく例示することができる。不燃性シート材がこれらの材料からなる場合、発火等の危険性がなく、また、交換などのメンテナンスも容易である。油受け部材５の配設方法は特に限定されず、例えばねじなどの固定具を使用して取り付ける方法などを例示することができる。
【００１８】
油受け部材５の形状や大きさなどは特に限定されず、レンジフードの形態などに応じて適宜設計することができる。具体的には、油受け部材５の形状は、下方に向かって略方形に窪む凹皿状や、下方に向かって径小となる円錐状または円錐台状などの形状を例示することができる。
【００１９】
図２は、本発明のレンジフードにおける第１金型および第２金型の一実施形態と、第１金型および第２金型を利用した油受け部材の成形工程を例示した断面図である。図３は、本発明のレンジフードにおける油受け部材の一実施形態を例示した斜視図である。
【００２０】
第１金型７と第２金型８は、成形すべき油受け部材５（図１に図示）の形状に対応した形状に設計されている。具体的には、この実施形態では、第１金型７は、下方に向かって凹状に窪む押込部７aを有し、この押込部７aの上端外縁からは、外側に向かって延びる外縁部７bが形成されている。また、第２金型８は、第１金型７と相補的な形状であり、下方に向かって凹状に窪む受け部８aを有し、この受け部８aの上端外縁からは、外側に向かって延びる外縁部８bが形成されている。
【００２１】
また、第１金型７と第２金型８の材料としては、金属や樹脂などを好ましく例示することができる。
【００２２】
そして、図２（Ａ）（Ｂ）に例示したように、不燃性シート材Ｒを第１金型７と第２金型８の間に保持し、押込部７aと受け部８aとが対向するように押込部７a側から押圧する。これによって、不燃性シート材Ｒを第１金型７の押込部７aと第２金型８の受け部８aの形状に合わせて変形させることができる。これによって、押込部７aと受け部８aの形状を反映した不燃性の油受け部材５を成形することができる。そして、図２（Ｃ）に例示したように、油受け部材５の成形後は、第１金型７と第２金型８を油受け部材５から脱離させることで、図３に例示した油受け部材５を得ることができる。この実施形態の油受け部材５は、下方に向かって凹状に窪む底部５aと、この底部５aの上端外縁から外側に向かって延びる取付部５bが形成されている。例えば、図１に例示したレンジフード１の油受け部材５の配設位置に予め溝（図示していない）を形成しておき、この溝に油受け部材５の取付部５bを嵌め込んだ後、ねじなどの固定具を使用して取り付けることができる。
【００２３】
さらに、油受け部材５の底部５aには、互いに並行に延びる複数の凹溝９が形成されており、この凹溝９によって油受け部材５の強度が向上している。このように、第１金型７と第２金型８は、押込部７aや受け部８aなどに油受け部材５の強度を高めるための凹凸などを適宜付与することができる（図２では図示していない）。
【００２４】
図１から図３に例示したように、レンジフード１において油受け部材５に貯留した油を除去する場合は、フード本体２から油受け部材５を取り外す。そして、不燃性シート材Ｒを第１金型７と第２金型８との間に保持して押圧することで成形した新たな油受け部材５を油捕集部材４の下方に配設することができる。このため、油受け部材５に貯留している油は、油受け部材５の交換と同時に除去され、油受け部材５の洗浄などが不要であり、メンテナンス作業の負担が大幅に軽減される。
【００２５】
以上の通り、レンジフード１は、加熱調理機の上方に配設されるものであって、以下の構成を有している。
【００２６】
フード本体２の内部に収納されたファン３。ファンの前方に配設された油捕集部材４。油捕集部材４の下方に着脱自在に配設され、油捕集部材４から流れ落ちた油を貯留する油受け部材５。油受け部材５を成形可能な第１金型７および第２金型８。
【００２７】
そして、レンジフード１は、油受け部材５を取り外して交換する場合に、不燃性シート材Ｒを第１金型７と第２金型８の間に保持して押圧することによって成形された新たな油受け部材５を配設可能である。
【００２８】
本発明のレンジフードは、以上の実施形態に限定されることはない。例えば、第１金型と第金型８の形状、大きさなどは、配設される油受け部材の形状に応じて適宜設計することができる。
【符号の説明】
【００２９】
１      レンジフード
２      フード本体
２１    開口部
３      ファン
４      油捕集部材
５      油受け部材
６      整流部材
６１    不燃性シート材
７      第１金型
８      第２金型
Ｒ    不燃性シート材
【図１】
2016125787.tif 000003
【図２】
2016125787.tif 000004
【図３】
2016125787.tif 000005